(57)【要約】【課題】  フラッシュの発光バラツキによる静止画への影響を、撮影時に補正し、見やすい画像に仕上げることを課題とする。【解決手段】  フラッシュ光のみをモニタする撮像装置を用いて、輝度と色温度に関して、実際の発光と基準値との差分を測定し、その量に応じて静止画像を補正する。【選択図】  図１
2007312098.tif 000002
【特許請求の範囲】
【請求項１】
被写体を撮影するための撮像装置および信号処理回路と、
フラッシュ光を観測するための撮像装置および信号処理回路と、
フラッシュ光を発する発光素子および該駆動回路と、
フラッシュ光を反射させるための均一反射面と、
画像信号処理を行う回路と、
補正基準となるデータを記憶しておくための記憶素子と、
被写体までの測距を行う機能と、
合焦している範囲を判断する機能と、
を有することを特徴とする撮影装置。
【請求項２】
フラッシュ光が、被写体と請求項１の均一反射面を同時に照射する機能および配置
を有することを特徴とする請求項１に記載の撮影装置。
【請求項３】
請求項１における、フラッシュ光を観測するための撮像装置の撮影範囲が、
該均一反射面上だけとなるような配置
を有することを特徴とする撮影装置。
【請求項４】
請求項１における、補正基準となるデータを記憶しておくための記憶素子として、
事前に設定したデータテーブルが書込み済みであるＲＯＭ、
もしくは連写１枚目時のデータを保持するＲＡＭ、
を有することを特徴とする撮影装置。
【請求項５】
請求項１および３にある撮像装置ならびに均一反射面を利用し、
撮影のためのフラッシュ光を発光するたびに、その光の輝度と色温度を測定する機能
を有することを特徴とする撮影装置。
【請求項６】
請求項４の記憶素子に有しているデータと、請求項５の測定データとを比較し、
その差分を補正量として演算する機能
を有することを特徴とする撮影装置。
【請求項７】
被写体までの測距データを用いて、画像の補正範囲を判別する機能
を有することを特徴とする撮影装置。
【請求項８】
撮影された画像の合焦範囲を判定して、画像の補正範囲を判別する機能
を有することを特徴とする撮影装置。
【発明の詳細な説明】
【技術分野】
【０００１】
本発明は、撮影用補助光発生装置を有する撮影装置に関するものである。
【背景技術】
【０００２】
従来、望ましい露出量を得るためのストロボ発光制御方法として、大きく別けて２つの手法が活用されてきた。
【０００３】
1つ目は、被写体に反射したフラッシュ光をセンサを用いてモニタし、この観測光の時間積分値が所望の光量に達した時点で発光を停止するものである。
【０００４】
２つ目は、撮影のための発光に先立ち、予備発光を行うことにより、撮影時に必要となる発光量を演算し、その結果に従って発光時間を制御するものである。（例えば、特許文献１参照）
加えて、完成後の静止画に対して補正を行うことで、同様の効果を得る手法もある。（例えば、特許文献２参照）
【特許文献１】特開平９−１２７５８０号公報
【特許文献２】特開平１０−０２０４１７号公報
【発明の開示】
【発明が解決しようとする課題】
【０００５】
しかしながら、フラッシュ補助光を用いた静止画撮影では、発光毎に発せられる光の輝度と色温度にある程度のバラツキが生じているため、仕上がった静止画にもその影響が表れていた。
【０００６】
従来技術の１つ目の手法では、輝度を高精度で制御することが可能であるが、色温度については対象外である。
【０００７】
同じく２つ目の手法においては、１回前の発光を制御基準としてしまうため、発光毎に生じるバラツキに追随していない。
【０００８】
また、完成後の静止画から補正対象を判断する方法では、フラッシュ光のバラツキだけに起因する範囲が判別不能であるため、意図しない部分までもが補正されてしまう可能性が高い。
【０００９】
本発明は上記問題点を解決することを目的としてなされたものであり、発光毎にばらつくフラッシュ光の輝度と色温度の両者を、その光の影響を受けている範囲内のみで補正する機能を持つ撮影装置の提供を目的とする。
【課題を解決するための手段】
【００１０】
上記目的を達成するため、本出願に係る第1の発明は、被写体を撮影するための撮像装置および信号処理回路と、フラッシュ光を観測するための撮像装置および信号処理回路と、フラッシュ光を発する発光素子および該駆動回路と、フラッシュ光を反射させるための均一反射面と、画像信号処理を行う回路と、補正基準となるデータを記憶しておくための記憶素子と、被写体までの測距を行う機能と、合焦している範囲を判断する機能と、を有することを特徴としている。
【００１１】
係る構成において、静止画として撮影される被写体とは全く別に、フラッシュ光の輝度と色温度だけを観測することができるとともに、発光毎のバラツキを補正することができる。被写体までの測距機能と合焦判断機能とにより、静止画像内の適正な補正対象範囲を選択することができる。
【００１２】
また、本出願に係る第２の発明は、フラッシュ光が被写体と均一反射面を同時に照射する機能および配置を有することを特徴としている。
【００１３】
係る構成において、静止画上に影響を及ぼすフラッシュ光と、補正量を得るために観測するフラッシュ光の同一性を確保することができる。
【００１４】
また、本出願に係る第３の発明は、フラッシュ光を観測するための撮像装置の撮影範囲が、該均一反射面上だけとなるような配置を有することを特徴としている。
【００１５】
係る構成において、該撮像装置により観測される光が、補正要素となるフラッシュ光に限定する。
【００１６】
また、本出願に係る第４の発明は、補正基準となるデータを記憶しておくための記憶素子として、事前に設定したデータテーブルが書込み済みであるＲＯＭ、もしくは連写１枚目時のデータを保持するＲＡＭ、を有することを特徴としている。
【００１７】
係る構成において、ＲＯＭのデータを参照することにより、いかなる撮影においても、事前に設定された輝度と色温度のフラッシュ光による静止画を得ることができる。連写１枚目時のデータを保持するＲＡＭを参照することにより、２枚目以降の撮影においても、１枚目と同等の輝度と色温度のフラッシュ光による静止画を得ることができる。
【００１８】
また、本出願に係る第５の発明は、撮像装置ならびに均一反射面を利用し、撮影のためのフラッシュ光を発光するたびに、その光の輝度と色温度を測定する機能を有することを特徴としている。
【００１９】
係る構成において、発光毎に生じるフラッシュ光のバラツキを観測することができる。
【００２０】
また、本出願に係る第６の発明は、記憶素子に有しているデータと測定データとを比較し、その差分を補正量として演算する機能を有することを特徴としている。
【００２１】
係る構成において、撮影された静止画から、発光毎に生じるフラッシュ光のバラツキの影響を除去することができる。
【００２２】
また、本出願に係る第７の発明は、被写体までの測距データを用いて、画像の補正範囲を判別する機能を有することを特徴としている。
【００２３】
係る構成において、撮影された静止画の中から、フラッシュ光の影響を受けている範囲のみを補正対象として選択することができる。
【００２４】
また、本出願に係る第８の発明は、撮影された画像の合焦範囲を判定して、画像の補正範囲を判別する機能を有することを特徴としている。
【００２５】
係る構成において、撮影された静止画の中から、補正が特に有効な範囲を選択することができる。
【発明の効果】
【００２６】
本発明によれば、フラッシュ光の発光に起因する静止画像の輝度と色温度のバラツキを、撮影と同時に、適正範囲内において、補正することができる。
【発明を実施するための最良の形態】
【００２７】
（実施例１）
本発明による第１の実施例を説明する。
【００２８】
図１は本発明に係る実施例１の撮影装置の構成を示したブロック図である。従来の撮影装置に比べて、撮像素子Ｂ７、信号処理部Ｂ８、反射面１１が付加されている。撮像素子Ｂ７は、フルカラーが観測可能な最低画素数を備えていれば良く、撮像素子Ａ５と同等の色特性を持っている事が望ましい。また、反射面１１だけを撮影範囲とするように配置される。信号処理部Ｂ８は、撮像素子Ｂ７から出力される信号に対応できる規模のもので良い。反射面１１は、均一な反射率を持つ一様な面であり、１８％グレー反射板などが望ましい。
【００２９】
撮影に伴うフラッシュ光が発せられるとき、被写体を照射するのと同時に、この光を反射面１１に照射させて、撮像素子Ｂ７でその輝度と色温度を観測する。この信号を信号処理部Ｂ８を経て、画像処理回路１に送る。ここでＲＯＭ２に書き込まれているデータとの比較を行う。このＲＯＭ２には、所定の設定においてフラッシュ発光をさせた際に、撮像素子Ｂ７から得られるべきである輝度と色温度の基準値が、データテーブルとなって記憶されている。即ち、実際の発光によって観測された値と、ＲＯＭ２にあるデータを差分演算した結果が補正量となる。
【００３０】
比較結果が全く等しいときには、基準値どおりの発光がされたということで、一切の補正は行われない。輝度についての比較結果が一致しなかった場合、観測値の方が明るいという判定であれば、その差分が画像を暗くする補正量となる。反対に観測値の方が暗いという判定であれば、その差分が画像を明るくする補正量となる。一方、色温度に関しても、ＲＧＢ各成分の比較判定を行い、観測値と基準値に違いがある場合は、輝度と同様にその差分を負帰還型の補正量とする。
【００３１】
ここで、静止画像全体を補正してしまうと、具合の悪い場合がある。本来、補正対象となるのは、フラッシュ光に照射されて、その輝度と色温度の影響を受けている範囲である。例えば、遠くの木々を背景にして、近くの人物を撮影した場合、フラッシュ光に照射されているのは人物だけであり、光は木々までは届かない。このような場合に、画像全体を補正してしまうと、人物に対しては適切な効果が得られるが、背景には不必要な変化を引き起こすことになる。そこで、測距回路１４により得られたデータを基に、フラッシュ光の届いている範囲を割り出す。ここで記す「届いている範囲」とは、フラッシュ光による輝度と色温度の影響が、ある一定の基準以上となる距離に存在する被写体の範囲、と定義する。この距離は事前に設定されているものである。画像の補正対象を、この範囲に限定することにより、前述の問題を解決することができる。
【００３２】
測距回路を具備していない場合は、合焦判定機能を使用する方法が考えられる。合焦されている被写体は、画像の中核を成している。従って、特にフラッシュ光が照射されている可能性が高い部分であり、同時に、最も注視される範囲でもある。この範囲を補正対象とすることにより、画像を見るときの知覚上においては、測距判定を用いた場合に近い効果が得られる。
【００３３】
演算された補正量と範囲に準じて、補正処理を行う。撮像素子Ａ５、信号処理部Ａ６を経て、画像処理回路１に送られてきた被写体の撮影画像に対して、輝度の増減と色温度の調整を行う。この補正処理が完了したものを、記録媒体４に記録する。
【００３４】
（実施例２）
本発明による第２の実施例を説明する。
【００３５】
第1の実施例において、補正量を算出するためにＲＯＭ２に書き込まれたデータテーブルを用いたが、これを連写１枚目時のデータを保持するＲＡＭ３に代替するものである。
【００３６】
この場合、補正量の基準値が、連写撮影時の1枚目での発光による輝度と色温度に設定される。
【００３７】
この方法によるメリットは、膨大なデータテーブルを用意することなく、関連性の強い一連の画像において、輝度と色温度のバラツキを補正することができることである。
【００３８】
一方でデメリットとしては、一連の連写群に含まれない画像間（例えば複数の単写）では、同じ設定や環境で撮影されていたとしても、バラツキの影響を除去できないことである。
【００３９】
（実施例３）
本発明による第３の実施例を説明する。
【００４０】
図２は本発明に係る実施例３の撮影装置の構成を示したブロック図である。
【００４１】
第1の実施例において、画像処理回路１において補正処理を行っていたが、これを信号処理部Ａ６に代替するものである。
【００４２】
画像処理回路１から信号処理部Ａ６に対して、補正指示と補正量の伝達が行われる。ここではＲＧＢ各成分のアナログ信号の増幅量を、補正量に応じて調整する。これにより、信号処理部Ａ６から画像処理回路１に対して送られる被写体を撮影した画像から、フラッシュ光の輝度と色温度のバラツキによる影響が除去されている。
【図面の簡単な説明】
【００４３】
【図１】本発明の第１と第２の実施例に係る撮影装置内の信号伝達を示すブロック図である。
【図２】本発明の第３の実施例に係る撮影装置内の信号伝達を示すブロック図である。
【符号の説明】
【００４４】
１  画像処理回路
２  ＲＯＭ
３  ＲＡＭ
４  記録媒体
５  撮像素子Ａ
６  信号処理部Ａ
７  撮像素子Ｂ
８  信号処理部Ｂ
９  フラッシュ駆動回路
１０  フラッシュ発光部
１１  反射面
１２  レンズ
１３  被写体
１４  測距回路
【図１】
2007312098.tif 000003
【図２】
2007312098.tif 000004